(57)【要約】【目的】  流し台において、シンクの汚れを簡単に落とし、殺菌も行う。【構成】  カラン（１）の吐水口に第１の電極（２）が設けられ、金属製のシンク（３）が第２の電極とされ、カランの吐水口から水を流す際に、第１の電極と第２の電極としてのシンクに電圧が印加され、水を電気分解してシンクの洗浄及び殺菌が行われる。【選択図】図１
2005065793.tif 000002
【特許請求の範囲】
【請求項１】
カランの吐水口に第１の電極が設けられ、金属製のシンクが第２の電極とされ、カランの吐水口から水を流す際に、第１の電極と第２の電極としてのシンクに電圧が印加され、水を電気分解してシンクの洗浄及び殺菌が行われることを特徴とする流し台。
【請求項２】
カランの吐水口に第１の電極が設けられ、非金属製のシンクに第２の電極が設けられ、カランの吐水口から水を流す際に、第１の電極と第２の電極に電圧が印加され、水を電気分解してシンクの洗浄及び殺菌が行われることを特徴とする流し台。
【請求項３】
カランへの給水管に水力発電装置が設けられ、水力発電装置で発生する起電力を第１及び第２の電極に供給する請求項１又は２記載の流し台。
【発明の詳細な説明】
【技術分野】
【０００１】
この出願の発明は、流し台に関するものである。さらに詳しくは、この出願の発明は、シンクの汚れを簡単に落とし、殺菌も行うことのできる流し台に関するものである。
【背景技術】
【０００２】
アルカリイオン水の生成の際に生じる酸性水を流し台の殺菌に利用する試みがなされている（たとえば、特許文献１参照）。イオン水生成器が収納部に配設され、イオン水生成器で生成された酸性イオン水を、収納部に配設された酸性イオン水タンクに貯留し、酸性イオン水給水路を介して、流し台に形成されたごみ受部に酸性イオン水を供給するというものである。酸性イオン水は殺菌効果があるため、ごみ受部における雑菌の繁殖を抑制することができる。
【特許文献１】特開平６−１４６３６２号公報
【発明の開示】
【発明が解決しようとする課題】
【０００３】
しかしながら、上記の流し台では、酸性イオン水の利用により殺菌を行うことができるが、シンクの汚れを落とすことはできない。調理や洗い物の際に生ずる油やタンパク質による汚れは洗剤により洗い流すより外なく、また、水道水中に含まれるシリカ、カルシウム等の金属成分が付着する場合にはクレンザーを用いて擦り洗いしなければならなかった。その作業は簡単ではないのが実情である。
【０００４】
この出願の発明は、このような事情に鑑みてなされたものであり、シンクの汚れを簡単に落とし、殺菌も行うことのできる流し台を提供することを解決すべき課題としている。
【課題を解決するための手段】
【０００５】
この出願の発明は、上記の課題を解決するものとして、第１には、カランの吐水口に第１の電極が設けられ、金属製のシンクが第２の電極とされ、カランの吐水口から水を流す際に、第１の電極と第２の電極としてのシンクに電圧が印加され、水を電気分解してシンクの洗浄及び殺菌が行われることを特徴とする流し台を提供する。
【０００６】
この出願の発明は、第２には、カランの吐水口に第１の電極が設けられ、非金属製のシンクに第２の電極が設けられ、カランの吐水口から水を流す際に、第１の電極と第２の電極に電圧が印加され、水を電気分解してシンクの洗浄及び殺菌が行われることを特徴とする流し台を提供する。
【０００７】
この出願の発明は、第３には、上記第１又は第２の流し台において、カランへの給水管に水力発電装置が設けられ、水力発電装置で発生する起電力を第１及び第２の電極に供給する流し台を提供する。
【発明の効果】
【０００８】
この出願の発明の第１の流し台によれば、シンクの汚れを簡単に落とし、殺菌も行うことができる。
【０００９】
この出願の発明の第２の流し台によれば、シンクがホーローや人造大理石等から形成された非金属製のものであっても、上記第１の流し台と同様に、シンクの汚れを簡単に落とし、殺菌も行うことができる。
【００１０】
この出願の発明の第３によれば、上記第１又は第２の流し台の効果に加え、電圧の印加をカランからの吐水により得ることができ、バッテリーを必要としない。
【発明を実施するための最良の形態】
【００１１】
以下、図面に沿ってこの出願の発明の流し台についてさらに詳しく説明する。
【００１２】
図１は、この出願の発明の第１の流し台の一実施形態の要部を示した図である。
【００１３】
この出願の発明の第１の流し台では、カラン（１）の吐水口に第１の電極（２）が設けられ、ステンレス等の金属製のシンク（３）が第２の電極とされる。そして、カラン（１）の吐水口から水（４）を流す際に、第１の電極（２）と第２の電極としてのシンク（３）に電圧が印加されることにより、水（４）を電気分解してシンク（３）の洗浄及び殺菌が行われる。カラン（１）から吐水した状態で第１の電極（２）に＋電圧を印加し、シンク（３）に−電圧を印加する。すると、第１の電極（２）と第２の電極としてのシンク（３）の間で水（４）の電気分解が起こり、シンク（３）の表面部はアルカリ性となる。この状態では、脂肪分及びタンパク質が溶け、油汚れやタンパク質の汚れが落とされる。一方、第１の電極（２）に−電圧、シンク（３）に＋電圧をそれぞれ印加する場合には、シンク（３）の表面部は酸性となり、水道水中の金属成分による汚れであるスケールが溶かされ、しかもシンク（３）は殺菌される。
【００１４】
このように、この出願の発明の第１の流し台は、シンクの汚れを簡単に落とし、殺菌も行うことができる。
【００１５】
図２は、この出願の発明の第２の流し台の一実施形態の要部を示した図である。
【００１６】
この出願の発明の第２の流し台では、カラン（１）の吐水口に第１の電極（２）が設けられ、ホーロー、人造大理石等から形成された非金属製のシンク（３）に第２の電極（５）が設けられる。第２の電極（５）は、たとえば、図３に示したように、シンク（３）の排水口（６）の入口に配置することができる。この出願の発明の第２の流し台においても、カラン（１）の吐水口から水（４）を流す際に、第１の電極（２）と第２の電極（５）に電圧が印加され、水（４）を電気分解してシンク（３）の洗浄及び殺菌が行われる。カラン（１）から吐水した状態で第１の電極（２）に＋電圧を印加し、第２の電極（５）に−電圧を印加すると、第１の電極（２）と第２の電極（５）の間に電流が流れ、水（４）の電気分解が起こり、カラン（１）の吐水口から流れる水（４）は酸性を示す。一方、第１の電極（２）に−電圧を印加し、第２の電極（５）に＋電圧を印加すると、カラン（１）の吐水口から流れる水（４）はアルカリ性を示す。油やタンパク質の汚れを落とす場合には、アルカリ性の吐水を行い、脂肪分、タンパク質を溶かし、汚れを落とすことができる。水道水中の金属成分による汚れであるスケールは、酸性の吐水により溶かすことができ、しかも酸性の吐水によりシンク（３）は殺菌される。
【００１７】
このように、この出願の発明の第２の流し台もまた、シンクの汚れを簡単に落とし、殺菌も行うことができる。
【００１８】
図４は、この出願の発明の第３の流し台の概略を示した図である。
【００１９】
図４に示したように、この出願の発明の第３の流し台では、以上の第１又は第２の流し台において、カラン（１）への給水管（７）に水力発電装置（８）が設けられる。カラン（１）から吐水すると、水力発電装置（８）には起電力が発生する。この出願の発明の第３の流し台では、水力発電装置（８）で発生する起電力を前述の第１の電極（２）及び第２の電極としてのシンク（３）又は第２の電極（５）に供給する。このため、第１の電極（２）及び第２の電極としてのシンク（３）又は第２の電極（５）への電圧の印加が、カラン（１）からの吐水により得られ、自給自足式となる。バッテリーを配設しなくとも電圧の印加が可能となる。
【００２０】
もちろん、この出願の発明は、以上の実施例によって限定されるものではない。カラン、シンク等の構成及び構造等の細部については様々な態様が可能であることはいうまでもない。
【産業上の利用可能性】
【００２１】
以上詳しく説明したとおり、この出願の発明によって、シンクの汚れを簡単に落とし、殺菌も行うことのできる流し台が提供される。
【図面の簡単な説明】
【００２２】
【図１】この出願の発明の第１の流し台の一実施形態の要部を示した図である。
【図２】この出願の発明の第２の流し台の一実施形態の要部を示した図である。
【図３】非金属製のシンクに設ける第２の電極の配置について示した図である。
【図４】この出願の発明の第３の流し台の概略を示した図である。
【符号の説明】
【００２３】
１    カラン
２    第１の電極
３    シンク
４    水
５    第２の電極
６    排水口
７    給水管
８    水力発電装置
【図１】
2005065793.tif 000003
【図２】
2005065793.tif 000004
【図３】
2005065793.tif 000005
【図４】
2005065793.tif 000006